(57)【要約】【課題】電子カメラの調整検査を、種々の色温度条件で自動的に行なう。【解決手段】調整検査を行なうべきカメラで撮像するテストパターンを表示するカラー画像表示パネル２と、パーソナルコンピュータ１と、前記カメラの出力信号に基づきパーソナルコンピュータ１に提供する撮像画像情報を生成する検査機４を備える。パーソナルコンピュータ１は、色信号ＲＧＢの比率を変えることにより複数の色温度条件のもとで各種テストパターン信号を発生しカラー画像表示パネルに各種テストパターンを表示させる。また、表示された各種テストパターンをカメラで撮像して得た撮像情報に基づきカメラの調整検査を行なうためにカメラと通信してカメラに制御データを送る。これにより、単一のカラー画像表示パネルを用いて複数種類の色温度条件下でカメラの調整検査を行なうことが可能になる。【選択図】　　　　図２
2004112268.tif 000002
【特許請求の範囲】
【請求項１】
テストパターンを表示するためのカラー画像表示パネルと、
各種テストパターン信号を発生して前記カラー画像表示パネルに各種テストパターンを表示させるとともに、表示された各種テストパターンをカメラで撮像して得た撮像情報にもとづき前記カメラの調整および／または検査を行なうために前記カメラと信号通信を行なうパーソナルコンピュータと、
前記カメラからの出力信号にもとづき前記パーソナルコンピュータに提供する撮像情報を生成するための検査機と、
を具備し、前記パーソナルコンピュータから色温度情報を含むテストパターン信号を前記カラー画像表示パネルに入力することにより、単一のカラー画像表示パネルを用いて複数種類の色温度条件において前記カメラの調整および／または検査を可能にすることを特徴とするカメラの調整検査装置。
【請求項２】
前記検査機は前記カメラからアナログビデオ出力信号を受け該アナログビデオ出力信号をデジタル信号に変換するアナログデジタル変換器と、該デジタル信号を記憶するメモリと、該メモリから読み出した信号を前記パーソナルコンピュータが受け入れ可能な信号形式に変換して前記前記パーソナルコンピュータに供給するドライバ部とを具備することを特徴とする請求項１に記載のカメラの調整検査装置。
【請求項３】
前記ドライバ部は前記デジタル信号をＵＳＢ形式で前記パーソナルコンピュータに入力するＵＳＢドライバであることを特徴とする請求項２に記載のカメラの調整検査装置。
【請求項４】
前記カメラと前記パーソナルコンピュータとの信号通信はシリアルインタフェース（ＲＳ−２３２Ｃ）によって行なわれることを特徴とする請求項１に記載のカメラの調整検査装置。
【請求項５】
前記カラー画像表示パネルと前記カメラの撮像素子の画素の数および／または位置の差による撮像画像のモワレを前記カメラのフォーカスをずらすことによりまたは撮像レンズのズーミングにより防止することを特徴とする請求項１に記載のカメラの調整検査装置。
【請求項６】
前記カラー画像表示パネルは液晶表示（ＬＣＤ）パネル、プラズマディスプレイパネル（ＰＤＰ）、有機エレクトロルミネセンス（有機ＥＬ）パネル、発光ダイオード（ＬＥＤ）パネル、および電界放射型ディスプレイ（ＦＥＤ）パネルからなるグループから選択されたパネルであることを特徴とする請求項１に記載のカメラの調整検査装置。
【発明の詳細な説明】
【０００１】
【発明の属する技術分野】
本発明は、カメラの調整検査装置に関し、例えばビデオカメラ、電子スチルカメラその他の電子カメラなどを種々の色温度条件において迅速かつ効率的に調整および／または検査可能にする技術に関する。
【０００２】
【従来の技術】
従来、上述のような各種カメラの調整、検査、性能評価、撮像試験などを行なう場合には、調整、検査など（以下、単に調整検査と称する）を行なうべきカメラ、すなわち被検査カメラ、で各種のテストパターンを撮像することによって行なわれていた。このようなカメラの調整検査を行なう場合、種々の色温度の光源のもとでテストパターンを撮像して調整検査を行なう必要がある。すなわち、単一種類の光源では通常単一色温度の光を出力することができるのみであったためそれぞれの調整検査の内容および目的に応じて必要な色温度の条件のもとで調整検査を行なうため、例えば各種の色変換フィルタ（以後、ＣＣフィルタと称する）をカメラ本体のレンズに被せ、かつ各種のテストパターンをカメラで撮像する。例えば、ある固定の色温度の光源を用いて、透過型のテストチャートを照明し、かつカメラ側のＣＣフィルタを順次交換しながら調整検査を行なうことにより、種々の色温度の条件のもとで調整検査を行なうことができた。なお、従来のカメラの調整装置としては、例えば、特開平５−３２８４０９号および特開平１１−２３４７０６号などに開示されたものがある。
【０００３】
【発明が解決しようとする課題】
しかしながら、このような従来の方法では、種々の色温度でカメラの調整検査を行なうためには、手動によりテストチャートおよびＣＣフィルタを順次交換しながら調整検査を行なう必要があり、作業が煩雑になり、調整検査のための作業時間も長くかつ効率の悪いものとなり、結果として製品の製造コストを上昇させるという不都合があった。
【０００４】
本発明の目的は、前述の従来例のカメラの調整検査技術における問題点に鑑み、カメラの調整検査装置において、種々の色温度の条件のもとでテストパターンを使用したカメラの調整および／または検査などを簡単な操作でかつ迅速に行なうことができるようにし、カメラの調整検査を短時間にかつ的確に行なうことができるようにすることにある。
【０００５】
【課題を解決するための手段】
本発明の一態様に係わるカメラの調整検査装置は、テストパターンを表示するためのカラー画像表示パネルと、各種テストパターン信号を発生して前記カラー画像表示パネルに各種テストパターンを表示させるとともに、表示された各種テストパターンをカメラで撮像して得た撮像情報にもとづき前記カメラの調整および／または検査を行なうために前記カメラと信号通信を行なうパーソナルコンピュータと、前記カメラからの出力信号にもとづき前記パーソナルコンピュータに提供する撮像情報を生成するための検査機と、を具備し、前記パーソナルコンピュータから色温度情報を含むテストパターン信号を前記カラー画像表示パネルに入力することにより、単一のカラー画像表示パネルを用いて複数種類の色温度条件において前記カメラの調整および／または検査を可能にすることを特徴とする。
【０００６】
この場合、前記検査機は前記カメラからアナログビデオ出力信号を受け該アナログビデオ出力信号をデジタル信号に変換するアナログデジタル変換器と、該デジタル信号を記憶するメモリと、該メモリから読み出した信号を前記パーソナルコンピュータが受け入れ可能な信号形式に変換して前記前記パーソナルコンピュータに供給するドライバ部とを具備すると好都合である。
【０００７】
また、前記ドライバ部は前記デジタル信号をＵＳＢ形式で前記パーソナルコンピュータに入力するＵＳＢドライバとすることもできる。
【０００８】
さらに、前記カメラと前記パーソナルコンピュータとの信号通信はシリアルインタフェース（ＲＳ−２３２Ｃ）によって行なうこともできる。
【０００９】
また、前記カラー画像表示パネルと前記カメラの撮像素子の画素の数および／または位置の差による撮像画像のモワレを前記カメラのフォーカスをずらすことによりまたは撮像レンズのズーミングにより防止すると好都合である。
【００１０】
なお、前記カラー画像表示パネルは液晶表示（ＬＣＤ）パネル、プラズマディスプレイパネル（ＰＤＰ）、有機エレクトロルミネセンス（有機ＥＬ）パネル、発光ダイオード（ＬＥＤ）パネル、および電界放射型ディスプレイ（ＦＥＤ）パネルからなるグループから選択されたパネルとすることができる。
【００１１】
【発明の実施の形態】
以下、図面を参照して本発明の好ましい実施形態に係わるカメラの調整検査装置につき詳細に説明する。
【００１２】
図１は、本発明の１実施形態に係わるカメラの調整検査装置の概略の構成を示すブロック図である。図１に示される装置は、検査および／または調整などを行なうべきカメラ、以下被検査カメラと称する、３によって撮像可能な各種テストパターンを表示する液晶パネル２と、該液晶パネル２に各種テストパターンを表示させるための信号を入力し、かつ被検査カメラ３に調整信号を入力するなどの動作を行なうパーソナルコンピュータ１（以下、単にパソコンと称する）、および被検査カメラ３とパソコン１との間に接続された検査機４を具備する。
【００１３】
パソコン１は、あらかじめ作成されたプログラムに従って動作し、各種テストパターン、例えばカラーバー、グレースケール、オールホワイト（全白）、その他のパターンを表示するための信号を生成し液晶パネル２に供給する。各テストパターンは、例えば、ＲＧＢ２５６階調で表現され、液晶パネル２において表示される各々の色を描画する範囲を指定する。各テストパターンはこのような処理を複数回行なうことによって表示される。また、輝度、色温度などのパラメータは、このＲＧＢのレベルまたはレベル比を変更することによって実現される。例えば、輝度を変更するには、ＲＧＢの比率を一定に保ったまま、各色のレベルを同時に変更すればよい。また、色温度を変更するには、ＲＧＢの比率を変えながらそのレベルを変更する。
【００１４】
液晶パネル２は、パソコン１からの信号に基づき各種テストパターンを画面に表示するものである。なお、カラー画像が表示できるもの、すなわちカラー画像表示パネル、であれば他の表示装置を用いることもできる。例えば、液晶（ＬＣＤ）パネルに変えて、プラズマディスプレイパネル（ＰＤＰ）、有機エレクトロルミネセンス（有機ＥＬ）パネル、発光ダイオード（ＬＥＤ）パネル、あるいは電界放射型ディスプレイ（ＦＥＤ）パネルなどを使用することができる。
【００１５】
また、検査機４は、被検査カメラ３の出力、例えばビデオ信号、Ｒ／Ｇ／Ｂ信号その他、を受け入れて輝度情報および色信号情報など必要な信号情報を生成し、パソコン１で受け入れ可能な信号形式、例えばＵＳＢインタフェース信号、としてパソコン１に供給する。
【００１６】
図２は、図１のカメラの調整検査装置の詳細な構成を示す。図２に示されるように、被検査カメラ３は、例えば、光学レンズ部３１と、映像撮像部３２と、デジタル信号プロセッサ（ＤＳＰ）などで構成される映像信号処理部３３と、シリアルインタフェース（ＲＳ−２３２Ｃ）用ドライバ部３４を備えている。
【００１７】
このような被検査カメラにおいては、液晶パネル２の表示スクリーン上に表示されたテストパターンなどからの画像光が光学レンズ部３１を介して映像撮像部３２の撮像素子に入力され対応する映像信号が生成される。この映像信号は映像信号処理部３３において、ガンマ（γ）補正および同期信号の付与などの各種処理が行なわれて、例えば、複合ビデオ信号としてビデオ出力端子３５から出力される。また、シリアルインタフェース用ドライバ部３４は、被検査カメラ３とパソコン１との間で各種データの送受信を行なうためのインタフェース動作を行なう。例えば、パソコン１から各種制御信号を送り映像信号処理部３３における輝度信号レベルあるいは色信号の振幅および位相などの設定を行なうために使用される。
【００１８】
次に、検査機４は、Ａ／Ｄ変換部４１、メモリ部４２およびＵＳＢドライバ部４３などを備えている。Ａ／Ｄ変換部４１は、被検査カメラ３からのビデオ信号出力をデジタル信号に変換し、メモリ部４２にいったん記憶させる。ＵＳＢドライバ部４３は、メモリ部４２から読み出したデジタルデータ信号をパソコン１のＵＳＢインタフェースを介してパソコン１に送り込むなどの動作を行なう。
【００１９】
パソコン１は液晶パネル２に対し、例えばＲＧＢ、水平ドライブ（ＨＤ）および垂直ドライブ（ＶＤ）信号などを送る。この場合、ＲＧＢのデータを変えることにより、液晶パネル２に表示される表示画面を設定する。また、ＲＧＢ信号の比率を変えることにより、液晶パネル２で表示される画像の色温度を所定の値に設定する。
【００２０】
図３の（ａ）〜（ｃ）は、パソコン１によって液晶パネル２に表示されるテストパターンの一例を示す。図３（ａ）は、全白すなわちオールホワイトのパターンを示し、例えばホワイトバランスなどの設定のために使用される。図３（ｂ）は、カラーバーの一例を示し、色信号の調整などに使用される。また、図３（ｃ）はグレースケールのパターンを示し、カメラの輝度信号関連の調整などに使用される。
【００２１】
次に、図４を参照して上記構成を有するカメラの調整検査装置の動作を説明する。
【００２２】
まず、被検査カメラ３を液晶パネル２の画像が撮像できるように液晶パネル２の前面に設置し調整検査を開始する。
【００２３】
ステップＳ４０１において、パソコン１から液晶パネル２に必要な表示データおよび信号を送り、液晶パネル２の画面上にテストパターンを表示する。この場合、パソコン１から送るデータのうちのＲＧＢのデータを設定することにより、液晶パネル２で表示される表示画面を設定する。また、ＲＧＢの比率を変えることにより、液晶パネル２で表示される画面の色温度を設定する。
【００２４】
ステップＳ４０２において、パソコン１から例えばシリアルインタフェース（ＲＳ２３２Ｃ）を介して被検査カメラ３に映像信号処理部３３のＤＳＰなどの設定を行なうためのデータを送る。
【００２５】
ステップＳ４０３において、被検査カメラ３では、パソコン１から送られたデータにもとづき映像信号処理部３３などの設定が行なわれ、この設定に応じて被検査カメラ３からのビデオ信号出力などが変化する。
【００２６】
ステップＳ４０４において、被検査カメラ３からのビデオ信号などが検査機４に入力される。検査機４は入力された信号をＡ／Ｄ変換部４１によりデジタル信号に変換しいったんメモリ部４２に記憶する。
【００２７】
ステップＳ４０５において、パソコン１は被検査カメラ３に対し測定開始信号を送る。
【００２８】
ステップＳ４０６において、前記測定開始信号をパソコン１から被検査カメラ３に送った後に得られたビデオ信号出力を被検査カメラ３から検査機４に入力させる。そして、上述のように、この入力信号をＡ／Ｄ変換部４１においてデジタル信号に変換しメモリ部４２にいったん記憶する。メモリ部４２から読み出したデータをＵＳＢドライバ部４３を介してパソコン１に入力する。
【００２９】
ステップＳ４０７において、パソコン１では検査機４から送られてきたデータを解析し、測定データを各種パラメータとして算出する。
【００３０】
ステップＳ４０８において、パソコン１は上述のようにして算出した測定データをあらかじめ設定した目的値と比較し、あらかじめ設定した誤差範囲内に入っているか否かを判定する。もし所定の誤差範囲内に入っておれば、調整検査は終了する。もしあらかじめ設定した誤差範囲内に入っていない場合はステップＳ４０９に進む。
【００３１】
ステップＳ４０９においては、測定データとあらかじめ設定した目的値との差から修正値を求め、これをシリアルインタフェースを介して被検査カメラ３に送る。
【００３２】
以後、前述のステップＳ４０２〜Ｓ４０８が調整検査が終了するまで所定回数続けられる。なお、カメラの検査を行なう場合は、ステップＳ４０８において測定データと目的値との差があらかじめ設定した誤差より大きい場合には、不良品として判定するよう構成してもよい。
【００３３】
なお、上記実施形態に関し種々の変更が可能である。例えば、前述のように液晶パネル２に代えて、各種のカラー画像表示パネルを使用することができる。例えばプラズマディスプレイパネル（ＰＤＰ）、有機エレクトロルミネセンス（有機ＥＬ）パネル、ＬＥＤパネル、電界放射型ディスプレイ（ＦＥＤ）パネルなどを使用することもできる。また、パソコン１と被検査カメラ３および検査機４との通信は、種々の方式で行なうことができ、シリアルインタフェース形式およびＵＳＢインタフェース形式に限定されない。
【００３４】
このようにして、被検査カメラ３では、パソコン１からシリアルインタフェースを介して送られてきた修正値などの制御データに基づき、映像信号処理部を構成するＤＳＰ（デジタル信号プロセッサ）などにおける内部レジスタに記憶されているパラメータなどの値を変更設定する。これによって、例えば被検査カメラ３から出力される、あるいは内部の所定の調整ポイントなどにおける、輝度信号レベル、色信号の振幅および位相などを調整することができる。
【００３５】
このような被検査カメラ３の調整および／または検査の動作を、各テストパターンについて行なうことにより被検査カメラ３の調整および／または検査を行なうことができる。なお、パソコン１は液晶パネル２に対して順次種々のテストパターンを表示させ、各テストパターンによって被検査カメラ３の所定の調整および／または検査を行なう。この場合、本発明では、パソコン１から液晶パネル２に送られる色信号ＲＧＢの比率を変えることにより、液晶パネル２で表示されるテストパターンの色温度を設定する。そして、パソコン１はこの色温度を種々の値に設定することにより、単一の液晶パネル２を用いて複数種類の色温度条件において被検査カメラ３の調整および／または検査を自動的に行なうことが可能になる。
【００３６】
なお、前記カラー画像表示パネルと前記カメラの撮像素子の画素の数の相違および／または位置のずれにより、撮像画像にいわゆる「モワレ」を生じることがある。このような「モワレ」は、前記カメラのフォーカスを少しずらすことにより、または前記カメラの撮像レンズを少しズーミングして撮像画像の大きさをわずかに変えることによって防止することができる。
【００３７】
【発明の効果】
以上のように、本発明によれば、ビデオカメラ、電子スチルカメラその他の電子カメラの調整および／または検査を、単一のカラー画像表示パネルを使用して種々の色温度においてテストパターンなどを表示して自動的に行なうことができる。
【００３８】
各テストパターンの情報および色温度の設定のための情報は、パソコン１内の図示しない記憶装置などにあらかじめ設定記憶しておき、パソコン１は所定のプログラムに従ってこの記憶情報を使用して前述のように液晶パネル２に各テストパターンを複数の色温度で順次表示することによりカメラの調整および／または検査を自動的に行なうことができる。
【００３９】
したがって、従来のようにカメラ本体のレンズに被せる色変換フィルタを順次交換し、かつテストパターンを人手で交換し表示するという煩雑な手間が省ける。すなわち、本発明によれば、複数種類の色温度の条件のもとで、各テストパターンを使用してカメラの調整および／または検査を自動的に行なうことができ、カメラの調整検査工程を大幅に簡略化し、かつカメラの調整検査に必要な作業時間も大幅に短縮することができる。
【図面の簡単な説明】
【図１】本発明の一実施形態に係わるカメラの調整検査装置の概略の構成を示すブロック図である。
【図２】図１のカメラの調整検査装置の詳細な構成を示すブロック回路図である。
【図３】本発明に係わるカメラの調整検査装置において使用されるテストパターンの例を示す説明図であり、（ａ）は全白パターンを、（ｂ）はカラーバーのパターンを、そして（ｃ）はグレースケールのパターンをそれぞれ示す。
【図４】本発明の一実施形態に係わるカメラの調整検査装置の動作を示すフローチャートである。
【符号の説明】
１　パソコン
２　液晶パネル
３　被検査カメラ
４　検査機
３１　光学レンズ部
３２　映像撮像部
３３　映像信号処理部
３４　シリアルインタフェース・ドライバ部
３５　ビデオ信号出力
４１　Ａ／Ｄ変換部
４２　メモリ部
４３　ＵＳＢドライバ部
【図１】
2004112268.tif 000003
【図２】
2004112268.tif 000004
【図３】
2004112268.tif 000005
【図４】
2004112268.tif 000006